(57)【要約】      （修正有）【課題】ダイナミックベースで更新された意味のある情報を表示するバナーを提供。さらに現在の日付けに関係する顕著な情報を伝送するバナーを提供。【解決手段】現在のデータにしたがって変化する通信装置用のバナーが提供される。このバナーは通信装置の動作の待機モード中に表示される（１３）。バナーをダイナミックに表示するシステムは、カレンダーを備え、それは日付番号を有する。各日付番号はそれに関連した特有のメッセージを有している。【選択図】図１
2010193479.tif 000002
【特許請求の範囲】
【請求項１】
通信装置の動作の待機モード中に通信装置の表示スクリーン上の現在の日付に対応するメッセージをダイナミックに表示する方法において、
通信装置はカレンダーからの複数の日付を現在の日付と比較して現在の日付がカレンダーからの複数の日付の１つに一致するか否かを決定する手段を備えており、
前記方法は、
カレンダー中の複数の日付のそれぞれと特有のメッセージを関連させ、
現在の日付がカレンダーからの複数の日付の１つに一致する場合に通信装置の表示スクリーン上に特有のメッセージを表示し、
その特有のメッセージは現在の日付自体とは異なるメッセージであるステップを有するメッセージのダイナミックな表示方法。
【請求項２】
さらに、現在の日付がカレンダーからの複数の日付の１つと一致しない場合に通信装置の表示スクリーン上にデフォルトメッセージを表示するステップを含んでいる請求項１記載の方法。
【請求項３】
さらに、カレンダーからの任意の日付に対してユーザの定めた特有のメッセージを割当てるステップを含んでいる請求項１記載の方法。
【請求項４】
前記割当てるステップは通信装置のユーザによって実行される請求項１記載の方法。
【請求項５】
さらに、通信装置のユーザによって特有のメッセージを編集するステップを含んでいる請求項１記載の方法。
【請求項６】
カレンダーからの複数の日付のそれぞれに対する特有のメッセージは通信装置の通信サービスプロバイダによって予め定められている請求項１記載の方法。
【請求項７】
通信装置のユーザによって特有のメッセージを編集するステップをさらに含んでいる請求項６記載の方法。
【請求項８】
特有のメッセージはテキストメッセージである請求項１記載の方法。
【請求項９】
特有のメッセージはイメージの形態である請求項１記載の方法。
【請求項１０】
通信装置はセルラ電話装置である請求項１記載の方法。
【請求項１１】
特有のメッセージは“記念日”である請求項１記載の方法。
【請求項１２】
特有のメッセージは“感謝祭”である請求項１記載の方法。
【請求項１３】
通信装置の動作の待機モード中に通信装置の表示スクリーン上の現在の日付に対応するメッセージをダイナミックに表示するシステムにおいて、
通信装置はカレンダーからの複数の日付を現在の日付と比較して現在の日付がカレンダーからの複数の日付の１つに一致するか否かを決定するソフトウエアを有しており、
カレンダー中の複数の日付のそれぞれと特有のメッセージを関連させるデータベースと、
前記ソフトウエアに応答して現在の日付がカレンダーからの複数の日付の１つに一致する場合に通信装置の表示スクリーン上に特有のメッセージを表示する制御装置とを具備し、
前記特有のメッセージは現在の日付自体とは異なるメッセージであるメッセージのダイナミックな表示システム。
【請求項１４】
通信装置の表示スクリーンは、現在の日付がカレンダーからの複数の日付の１つと一致しない場合にデフォルトメッセージを表示する請求項１３記載のシステム。
【請求項１５】
カレンダーからの任意の日付に対して付加的な特有のメッセージが割当てられることができるように通信装置のユーザによってカレンダーが編集可能である請求項１３記載のシステム。
【請求項１６】
複数の日付のそれぞれに対する特有のメッセージは、通信装置のユーザによって編集可能である請求項１３記載のシステム。
【請求項１７】
複数の日付のそれぞれに対する特有のメッセージは、通信装置の通信サービスプロバイダによって予め決定される請求項１３記載のシステム。
【請求項１８】
複数の日付のそれぞれに対する特有のメッセージは、通信装置のユーザによって編集可能である請求項１７記載のシステム。
【請求項１９】
特有のメッセージはテキストメッセージである請求項１３記載のシステム。
【請求項２０】
特有のメッセージはイメージの形態である請求項１３記載のシステム。
【請求項２１】
通信装置はセルラ電話装置である請求項１３記載のシステム。
【請求項２２】
特有のメッセージは“記念日”である請求項１３記載のシステム。
【請求項２３】
特有のメッセージは“感謝祭”である請求項１３記載のシステム。
【請求項２４】
通信装置の動作の待機モード中に通信装置の表示スクリーン上の現在の日付に対応するメッセージをダイナミックに表示するシステムにおいて、
通信装置はカレンダーからの複数の日付を現在の日付と比較して現在の日付がカレンダーからの複数の日付の１つに一致するか否かを決定する手段を備えており、
カレンダー中の複数の日付のそれぞれと特有のメッセージを関連させる手段と、
現在の日付がカレンダーからの複数の日付の１つに一致する場合に通信装置の表示スクリーン上に特有のメッセージを表示する手段とを具備し、
前記特有のメッセージは現在の日付自体とは異なるメッセージであるメッセージのダイナミックな表示システム。
【発明の詳細な説明】
【技術分野】
【０００１】
本発明は、通信装置の技術分野に関するものであり、特にダイナミックに更新されたバナーを有するポータブルな通信装置に関する。
【背景技術】
【０００２】
セルラ電話装置のようなポータブルな通信装置では、典型的に電話装置の表示スクリーン上にテキストの形態でメッセージを表示している。このテキストメッセージは通常バナー(banner)として知られており、電話装置の動作中待機モードでデフォルトにより表示される。バナーは本質的に静的であるが、任意の時間に電話装置のユーザによって手作業で編集されることができる。バナーの手作業の編集はメニューアイテムのリストからメニューアイテムをアクセスする方法で行われる。
【０００３】
バナーを編集するためにメニューアイテムをアクセスする動作は、それが典型的にメニューアイテムの長いリストについて手作業でサーチするために非常に時間がかりユーザに負担となる。バナーは静的であり容易に編集されることができないので、通常は将来ユーザによって編集されることが少ないか、全くない一般的な情報しか含まれていない。そのためにバナーは使用され（しばしば電話の全寿命時間に対して）、例えば、単にユーザの名前を表示するために使用されている。バナーとして、日付に関係なく、連続的に表示されたユーザの名前（またはそのことに対する任意のメッセージ）は待機モード中表示スクリーの効率の低い使用を生じる傾向がある。それ故、意味のある情報を表示するだけでなく、ダイナミックなベースで変化して現在の日付に関係する顕著な情報を伝送するバナーを提供することが望ましい。
【０００４】
それ故、本発明の目的は、ダイナミックベースで更新された意味のある情報を表示するバナーを提供することである。  
本発明のさらに別の目的は、ダイナミックベースで変化し、それによって現在の日付に関係する顕著な情報を伝送するバナーを提供することである。  
これら、およびその他の本発明の目的および利点は、以下の説明および特許請求の範囲から明らかとなり、あるいは本発明の実施によって知ることができるであろう。
【発明の概要】
【０００５】
本発明は、通信装置の動作の待機モード中に通信装置の表示スクリーン上の現在の日付に対応するメッセージをダイナミックに表示するシステムおよび方法に関する。このシステムは複数の日付を有するカレンダーを備えている。複数の日付のそれぞれはそれと関係する特有のメッセージを有する。システムはまたカレンダーからの複数の日付を現在の日付と比較するソフトウエアを有している。このソフトウエアはその後現在の日付がカレンダーからの複数の日付の１つに一致するか否かを決定する。通信装置の表示スクリーンは現在の日付がカレンダーからの複数の日付の１つに一致する場合に特有のメッセージを表示する。現在の日付がカレンダーからの複数の日付の１つに一致しない場合には、通信装置の表示スクリーンはデフォルトメッセージを表示する。カレンダーは、付加的な特有のメッセージがカレンダーからの任意の日付に割当られるように通信装置のユーザによって編集されることができる。その代わりに、その通信装置に対する通信サービスプロバイダが複数の日付のそれぞれに対して特有のメッセージを予め定めてもよい。
【０００６】
本発明の上述した、およびその他の利点および目的を達成する方法を認識することができるように、上述した本発明の説明を添付図面に示された特定の実施形態を参照して説明する。これらの図面は本発明の典型的な実施形態鑿を説明するものであり、それ故、本発明の技術的範囲を限定するものではないことを理解すべきである。現在最良のものと理解される実施形態について以下添付図面を参照にして説明する。
【図面の簡単な説明】
【０００７】
【図１】本発明の好ましい実施形態にしたがったダイナミックに更新されるバナーシステムを実行ステップを示す簡単化されたプロセスのフロー図。
【図２】本発明の好ましい実施形態にしたがった図１の方法を実施するためのシステムの構成要素を示すハードウエアのブロック図。
【詳細な説明】
【０００８】
添付図面を参照すると、同じ構造は同じ参照符号を付けられている。ここに記載された図は、本発明の現在好ましい構造を概略的に表しているだけで、本発明の技術的範囲に含まれる構成は図に示されているものとは異なった構造を含んでいてもよいことを理解すべきである。
【０００９】
本発明のダイナミックに更新されるバナーシステムは、通信装置の動作の待機モード中に通信装置の表示スクリーン上の現在の日付に対応するメッセージをダイナミックに表示するために使用される。換言すると、本発明は現在の日付にしたがってダイナミックに変化するバナーに関する。通信装置はポータブルなセルラ電話装置であることが好ましいが、データ記憶能力および例えばページャのような表示スクリーンを有する任意の通信装置でよい。以下に示されるユニークなメッセージの表示は通信装置の動作の待機モード中に行われることが好ましいことを理解すべきである。本発明の説明を助けるために、“動作の待機モード”は、通信装置がオンであるが、通信装置のユーザが通信装置を通ってアクチブな通信をしていない期間として定義される。
【００１０】
図１および２を参照すると、プロセスのフロー図とダイナミックに更新されるバナーシステムを構成するためのハードウエアのブロック図が示されている。いか詳細に説明するように、図１に示されたプロセスは制御装置22（図２に示されている）におけるソフトウエア22Ａにおいて実行されることが好ましい。
【００１１】
ダイナミックに更新されるバナーシステムを実施する方法のステップ11において、現在の日付は、制御装置22におけるソフトウエア22Ａによって通信装置内にあるカレンダー21に自動的にアクセスされる。このカレンダーは複数の日付に対応する記憶位置を有しており、毎日のカレンダーであることが好ましい。複数の日付からの少なくとも１つの日付はそれに関連した特有のメッセージを有する。それに関連した特有のメッセージを有する日付は、以下“特別の日付”と呼ぶ。
【００１２】
ステップ12において、ソフトウエア22Ａは、現在の日付がそれに関連した特有のメッセージを有する“特別の日”であるか否かを決定する。この決定は、カレンダー内の複数の日付と現在の日付との比較により行われる。特有のメッセージは単なる現在のカレンダーの日付自体（すなわち１９９９年７月５日または０７／０５／９９）以外の他のメッセージを含んでおり、テキストおよび／またはイメージの形態を含んでいてもよい。通信装置の表示スクリーン23上に現れる可能な特有のメッセージは、例えば、“記念日”または“マタイの誕生日”である。特有のメッセージとして使用される可能なイメージの１例は、“ハート”の形状であり、それは記念日の到来を迅速に知らせるために使用されることができる。したがって、表示スクリーン23上に現れる特有のメッセージは、何かのイベント、休日、予約、リマインダー等の発生を通信装置のユーザに可視的に知らせることができる。他のメッセージもまた使用できる。他のメッセージの使用はもちろん本発明の技術的範囲内で当業者の有する技術レベル内に含まれる。ステップ13によって、特有のメッセージは、現在の日付が“特別の日”である場合には通信装置の表示スクリーン23上に表示されるだけである。
【００１３】
カレンダーは感謝祭、クリスマス等のような共通の特有のメッセージを有する“特別の日”を記憶されることが好ましく、それらは対応する日付でデフォルトにより表示スクリーン23上に表示される。これらの共通の特有のメッセージは通信装置のサービスプロバイダによって予めプログラムされてもよい。特に好ましい実施形態では、ソフトウエア22Ａはまた装置中に記憶された任意の特有のメッセージを編集または修正する能力をユーザに与える。この実施形態では、キーパッド24を介してメニューアイテムのリストからあるメニューアイテムにアクセスすることによって、通信装置のユーザは予めプログラムされたカレンダーを編集または修正することができ、あるいは他の特有のメッセージを抹消／入力／編集することができる。他の特有のメッセージを入力することによって新しい“特別の日”が生成され、それは上述の予めプログラムされた“特別の日”と同じように機能する。
【００１４】
その代わりに、カレンダーは何等“特別の日”なしに最初に記憶されることもできる。もちろん、通信装置のユーザは新しい“特別の日”を生成するためにキーパッド24を介して特有のメッセージを手作業で入力するオプションを有する。上述の予めプログラムされたシナリオのように、通信装置のユーザはキーパッドを介してカレンダーを編集または修正し、あるいは他の特有のメッセージを抹消または入力することができる。
【００１５】
いずれのシナリオにおいても、現在の日付が“特別の日”と一致しない場合には、表示スクリーン23はステップ14においてデフォルトを表示し、あるいはもとのメッセージを表示する。特有のメッセージと同様に、このデフォルトまたはもとのメッセージは通信装置のサービスプロバイダにより予めプログラムされてもよく、あるいはその代わりに通信装置のユーザによって生成されてもよい。いずれによっても、通信装置のユーザはキーパッド24を介してデフォルトまたはもとのメッセージを編集または修正することができる。
【００１６】
さらに別の実施形態においては、ソフトウエア22Ａは図１に示されたバナーシステムをディスエーブルする能力をユーザに提供することができる。例えば表示スクリーン23は別のメニューアイテムを含んでいてもよく、その機能は通信装置のユーザによって所望された場合には上述したようなバナーシステムのダイナミックな性質をディスエーブルすることである。このオプションを選択することによって、デフォルトまたはもとのバナーは、メニューオプションが通信装置のユーザによって選択されなくなるまで、いつまでも表示される。この“ダイナミックバナーディスエーブル”メニューオプションはデフォルトによってディスエーブルされることが好ましい。
【００１７】
上述したバナーシステムは通信装置の動作の待機モード期間中の表示スクリーンの有効な使用のために提供される。これは意味のある情報を表示するバナーを与えるだけでなく、ダイナミックに変化して現在の日付に関係する顕著な情報を伝達するバナーを提供することによって達成される。
【００１８】
さらに、ここで好ましい実施形態を参照に説明されたが、この構成および処理ステップに対して当業者に明白な種々の変形が特許請求の範囲に記載された本発明の技術的範囲を逸脱しない範囲で行われることができる。
【図１】
2010193479.tif 000003
【図２】
2010193479.tif 000004
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
通信装置の動作の待機モード中に通信装置の表示スクリーン上に現在の日付に対応するバナーをダイナミックに表示する方法において、
通信装置は現在の日付をカレンダーからの複数の日付と比較して、現在の日付がカレンダーからの複数の日付の１つに一致するか否かを決定する手段を備えており、
前記方法は、
カレンダー中の複数の日付のそれぞれと特有のバナーを関連させ、
現在の日付がカレンダーからの複数の日付の１つに一致する場合に通信装置の表示スクリーン上に特有のバナーを表示し、
現在の日付がカレンダーからの複数の日付の１つと一致しない場合に通信装置の表示スクリーン上にデフォルトバナーを表示し、
ユーザの選択により前記特有のバナーを表示するステップをディスエーブルして、前記デフォルトバナーを表示するステップを有しており、
前記特有のバナーは現在の日付自体とは異なるものであり、編集可能であり、カレンダーからの複数の日付のそれぞれに対する前記特有のバナーは通信装置の通信サービスプロバイダによって予め定められており、
前記デフォルトバナーは現在の日付自体とは異なるものであり、編集可能である、バナーのダイナミックな表示方法。
【請求項２】
さらに、前記カレンダーからの任意の日付に対してユーザの定めた特有のバナーを割当てるステップを含んでいる請求項１記載の方法。
【請求項３】
前記割当てるステップは前記通信装置のユーザによって実行される請求項１記載の方法。
【請求項４】
さらに、前記通信装置のユーザによって前記特有のバナーを編集するステップを含んでいる請求項１記載の方法。
【請求項５】
前記通信装置のユーザによって前記特有のバナーを編集するステップをさらに含んでいる請求項１記載の方法。
【請求項６】
前記特有のバナーはテキストメッセージである請求項１記載の方法。
【請求項７】
前記特有のバナーはイメージの形態である請求項１記載の方法。
【請求項８】
前記通信装置はセルラ電話装置である請求項１記載の方法。
【請求項９】
前記特有のバナーは“記念日”である請求項１記載の方法。
【請求項１０】
前記特有のバナーは“感謝祭”である請求項１記載の方法。
【請求項１１】
通信装置の動作の待機モード中に通信装置の表示スクリーン上に現在の日付に対応するバナーをダイナミックに表示するシステムにおいて、
通信装置は現在の日付をカレンダーからの複数の日付と比較して、現在の日付がカレンダーからの複数の日付の１つに一致するか否かを決定するソフトウエアを有しており、
前記システムは、
カレンダー中の複数の日付のそれぞれと特有のバナーを関連させるデータベースと、
制御装置とを具備し、
前記制御装置は、
前記ソフトウエアに応答して現在の日付がカレンダーからの複数の日付の１つに一致する場合に通信装置の表示スクリーン上に特有のバナーを表示し、
現在の日付がカレンダーからの複数の日付の１つと一致しない場合に通信装置の表示スクリーン上にデフォルトバナーを表示し、
ユーザの選択により前記特有のバナーを表示することをディスエーブルして、前記デフォルトバナーを表示し、
前記特有のバナーは現在の日付自体とは異なるものであり、編集可能であり、カレンダーからの複数の日付のそれぞれに対する前記特有のバナーは通信装置の通信サービスプロバイダによって予め定められており、
前記デフォルトバナーは現在の日付自体とは異なるものであり、編集可能である、バナーのダイナミックな表示システム。
【請求項１２】
前記カレンダーからの任意の日付に対して付加的な特有のバナーが割当てられることができるように前記通信装置のユーザによって前記カレンダーが編集可能である請求項１１記載のシステム。
【請求項１３】
前記複数の日付のそれぞれに対する前記特有のバナーは、前記通信装置のユーザによって編集可能である請求項１１記載のシステム。
【請求項１４】
前記複数の日付のそれぞれに対する前記特有のバナーは、前記通信装置のユーザによって編集可能である請求項１１記載のシステム。
【請求項１５】
前記特有のバナーはテキストメッセージである請求項１１記載のシステム。
【請求項１６】
前記特有のバナーはイメージの形態である請求項１１記載のシステム。
【請求項１７】
前記通信装置はセルラ電話装置である請求項１１記載のシステム。
【請求項１８】
前記特有のバナーは“記念日”である請求項１１記載のシステム。
【請求項１９】
前記特有のバナーは“感謝祭”である請求項１１記載のシステム。
【請求項２０】
通信装置の動作の待機モード中に通信装置の表示スクリーン上に現在の日付に対応するバナーをダイナミックに表示するシステムにおいて、
通信装置は現在の日付をカレンダーからの複数の日付と比較して、現在の日付がカレンダーからの複数の日付の１つに一致するか否かを決定する手段を備えており、
前記システムは、
カレンダー中の複数の日付のそれぞれと特有のバナーを関連させる手段と、
現在の日付がカレンダーからの複数の日付の１つに一致する場合に通信装置の表示スクリーン上に特有のバナーを表示する手段と、
現在の日付がカレンダーからの複数の日付の１つと一致しない場合に通信装置の表示スクリーン上にデフォルトバナーを表示する手段と、
ユーザの選択により前記特有のバナーを表示する手段をディスエーブルして、前記デフォルトバナーを表示する手段とを具備し、
前記特有のバナーは現在の日付自体とは異なるものであり、編集可能であり、カレンダーからの複数の日付のそれぞれに対する前記特有のバナーは通信装置の通信サービスプロバイダによって予め定められており、
前記デフォルトバナーは現在の日付自体とは異なるものであり、編集可能である、バナーのダイナミックな表示システム。
【外国語明細書】
2010193479000001.pdf